【誤訳訂正書】
【提出日】平成31年3月22日(2019.3.22)
【誤訳訂正１】
【訂正対象書類名】明細書
【訂正対象項目名】０００４
【訂正方法】変更
【訂正の内容】
【０００４】
概して、本発明は、付加製造された金属体の三次元体積品質モデルを作成するシステム及び方法に関する。より具体的には、本発明は、ＡＭ構築中に得られた画像を利用し、その画像を処理して欠陥を示す情報（例えば、ドラッグ（drag）、超過高さ（super elevation）及び／又は熱事象）を抽出することに関する。
【誤訳訂正２】
【訂正対象書類名】明細書
【訂正対象項目名】００１１
【訂正方法】変更
【訂正の内容】
【００１１】
ある態様では、（Ａ）カメラを用いて第１デジタル画像を取得する工程であって、前記第１デジタル画像は、付加製造体の層にわたって広がっている金属粉末の層を含む粉末床の少なくとも一部であり、前記第１デジタル画像は複数の画素を有し、前記複数の画素の各画素は固有の強度値を有する、工程と、（Ｂ）プロセッサを用いて、前記第１デジタル画像を非ドラッグパーティクルを有する第１二値画像に変換する工程と、（Ｃ）前記プロセッサを用いて、前記第１二値画像から非ドラッグパーティクルをフィルタリングする工程と、（Ｄ）前記プロセッサを用いて、前記金属粉末の層を広げる工程（Ａ）に関連するドラッグパーティクルとして、前記第１二値画像中の残存する全てのパーティクルを特定する工程と、（Ｅ）前記プロセッサを用いて、前記金属粉末の層を広げる工程（Ａ）に関連するドラッグをマッピングする工程であって、前記金属粉末の層について各ドラッグパーティクルの一連の座標（例えば、ｘ、ｙ、ｚ位置）、サイズ、及びタイプをマッピングする工程を含んでいる工程と、（ｆ）リスト形式でマップを記録する工程と、（ｇ）各層のリストを含む欠陥記録リストを作成するために、連続する層に対して（ａ）乃至（ｆ）を繰り返す工程と、（ｈ）前記プロセッサを用いて、各層について３ＤＣＡＤモデルを２Ｄコンターに変換する工程と、（ｉ）前記プロセッサを用いて、単一の層の記録リストから検出された欠陥の座標を抽出し、その層について、対応する２Ｄコンターに埋め込む／マッピングする工程と、（ｊ）全ての層について（ｇ）及び（ｈ）を繰り返して、各層において検出された全ての欠陥を含む金属体の三次元体積品質モデルを得る工程と、を含む方法がもたらされる。
【誤訳訂正３】
【訂正対象書類名】明細書
【訂正対象項目名】００１３
【訂正方法】変更
【訂正の内容】
【００１３】
ある態様では、前記変換する工程は更に、（i）前記複数の画素の全体平均強度値を決定する工程と、（ii）前記全体平均強度値と等しくなるように閾値を超える固有の強度値を再設定する工程と、（iii）前記複数の画素の各画素について局所平均強度値を決定する工程と、（iv）前記局所平均強度値から前記複数の画素の各画素の固有の強度値を減算することによって、前記複数の画素の各画素の背景補正強度値を決定する工程と、（v）各画素の固有の強度値を決定したその背景補正強度値で置き換える工程と、（vi）前記デジタル画像に対して閾値処理を実行して前記第１二値画像を生成する工程であって、前記第１二値画像は複数の二値画素を有しており、前記複数の二値画素は、複数のパーティクルを含む、工程と、を含む方法がもたらされる。
【誤訳訂正４】
【訂正対象書類名】明細書
【訂正対象項目名】００２０
【訂正方法】変更
【訂正の内容】
【００２０】
当該方法はまた、前記第１デジタル画像を第１二値画像に変換する工程であって、前記複数の画素の全体平均強度値を決定する工程と、前記全体平均強度値と等しくなるように閾値を超える固有の強度値を再設定する工程と、前記複数の画素の各画素について局所平均強度値を決定する工程と、前記局所平均強度値から前記複数の画素の各画素の固有の強度値を減算することによって、前記複数の画素の各画素について背景補正強度値を決定する工程と、各画素の固有の強度値を、決定されたその背景補正強度値で置き換える工程と、（vi）前記デジタル画像に対して閾値処理を実行して第１二値画像を生成する工程であって、記第１二値画像は複数の二値画素を有し、前記複数の二値画素は複数のパーティクルを含む、工程と、を含む工程を含んでよい。当該方法は、前記第１二値画像から非ドラッグパーティクルをフィルタリングする工程であって、前記複数の二値画素の各二値画素に対してｘ軸クローズ処理を実行する工程と、閾値幅よりも小さいパーティクル幅を有する全てのパーティクルを第１二値画像から除去する工程と、比閾値より小さいパーティクル伸長比を有する全てのパーティクルを第１二値画像から除去する工程と、前記第１二値画像に対してダイレーション処理を行う工程と、前記第１二値画像の各行におけるオンピクセルの数を決定する工程と、前記第１二値画像の各行のパーティクル数を決定する工程と、オンピクセル数閾値よりも少ないオンピクセル数を有する、又は、パーティクル数閾値より大きいパーティクル数を有する前記第１二値画像の行の画素について、オンピクセルをオフピクセルに切り替える工程と、を含む、工程と、前記第１二値画像内の残りの全てのパーティクルを、前記第２層を広げる工程に関連したドラッグパーティクルとして特定する工程と、前記第２層を広げる工程に関連したドラッグをマッピングする工程と、を含んでよい。前記ドラッグをマッピングする工程は、前記第１二値画像内の各ドラッグパーティクルの位置を決定する工程と、各ドラッグパーティクルのサイズを決定する工程であって、各ドラッグパーティクルを含む総画素数が、個々の各ドラッグパーティクルのサイズを表している、工程と、各ドラッグパーティクルの位置及びサイズを粉末床の個々の位置にマッピングする工程と、を含んでよい。当該方法は、前記第２層を広げる工程に関連する各ドラッグパーティクルの位置及びサイズに少なくとも部分的に基づいて、前記金属体の三次元体積品質モデルの第１層を生成する工程を含んでよい。
【誤訳訂正５】
【訂正対象書類名】明細書
【訂正対象項目名】００２３
【訂正方法】変更
【訂正の内容】
【００２３】
ある実施形態では、付加製造体の三次元体積品質モデルを生成する方法は、第１層の金属粉末を粉末床に広げる工程と、前記金属粉末の溶融金属を含む溶融物プールを形成するために、前記金属粉末の第１層の少なくとも一部を（例えば、レーザーを用いて）選択的に溶融する工程と、前記溶融金属を金属体の第１金属層へと凝固させる工程と、前記第１金属層に金属粉末の第２の層を広げる工程と、前記金属粉末の第２の層の少なくとも一部分の第１デジタル画像を得る工程と、前記第１デジタル画像を第１主二値画像に第１変換する工程であって、前記第１主二値画像は、オンピクセルを含む第１の複数のパーティクルを有する、工程と、前記第１デジタル画像を第１代替二値画像に第２変換する工程であって、前記第１代替二値画像は、オンピクセルを含む第２の複数のパーティクルを有する、工程と、前記第１の代替二値画像から非超過高さパーティクルをフィルタリングする工程であって、オンピクセル数閾値よりも少ないオンピクセル数を有する全てのパーティクルを前記第１代替二値画像から除去して、第１のフィルタリングされた二値画像を生成する工程と、前記第１主二値画像に前記第１のフィルタリングされた二値画像を乗算して、第１乗算二値画像を生成する工程であって、前記第１乗算二値画像は、オンピクセルを含む第３の複数のパーティクルを有する、工程と、前記選択的に溶融する工程に関連する超過高さパーティクルとして前記第３の複数のパーティクルを特定する工程と、前記超過高さをマッピングする工程と、を含んでいる。前記超過高さをマッピングする工程は、前記第１乗算二値画像内の各超過高さパーティクルの位置を決定する工程と、前記第１乗算二値画像内の各超過高さパーティクルのサイズを決定する工程であって、各超過高さパーティクルを含む画素の総数がその超過高さパーティクルのサイズを表す、工程と、各超過高さパーティクルの位置及びサイズを前記金属体内の個々の位置にマッピングする工程と、を含んでいる。当該方法は、前記選択的に溶融する工程に関連する各超過高さパーティクルの位置及びサイズに少なくとも部分的に基づいて、前記金属体の三次元体積品質モデルの第１層を生成する工程を含んでいる。
【誤訳訂正６】
【訂正対象書類名】明細書
【訂正対象項目名】００６１
【訂正方法】変更
【訂正の内容】
【００６１】
【図２７】図２７は、層＃１２０の熱的特徴を示す熱マップの拡大図であり、ＡＭ部品における意図された欠陥の位置と一致しており、層＃１１０及び層＃１１２と比べてより僅かな熱的特徴を示している。
【誤訳訂正７】
【訂正対象書類名】明細書
【訂正対象項目名】００７２
【訂正方法】変更
【訂正の内容】
【００７２】
図２ａを参照すると、粉末床の少なくとも一部のｎ番目（例えば、第１）のデジタル画像が得られてよい（２００）。粉末床と構築プラットフォームの少なくとも一部とのデジタル画像のある実施形態が、図５ａに示されている。本明細書で使用される「デジタル画像」は、画素からなる画像である。例えば、画素はデジタル画像の基本要素である。各画素は、それに関連する固有の強度値を有してよい。画素の固有の強度値は、その画素に関連する電磁特性（例えば、特に、電磁放射の周波数、電磁放射の強度、色、及び／又は外観（appearance））を示してもよい。強度値は、離散値に限定されてよい。例えば、８ビットカメラの場合、強度値は０乃至２５５までの全ての整数に限定される（即ち、８ビットは０乃至（２８−１）の全ての整数に限定された強度値を有する）。任意のタイプのカメラを使用できることに留意のこと（例えば、１６ビットカメラは、０乃至２１６−１の全ての整数に限定された強度値を有する）。
【誤訳訂正８】
【訂正対象書類名】特許請求の範囲
【訂正対象項目名】全文
【訂正方法】変更
【訂正の内容】
【特許請求の範囲】
【請求項１】
（Ａ）金属粉末の第１層を粉末床に広げる工程と、
（Ｂ）前記金属粉末の第１層の少なくとも一部を選択的に溶融して、前記金属粉末の溶融金属を含む溶融物プールを形成する工程と、
（Ｃ）前記溶融金属を金属体の第１金属層へと凝固させる工程と、
（Ｄ）前記第１金属層に金属粉末の第２層を広げる工程と、
（Ｅ）前記金属粉末の第２層の少なくとも一部の第１デジタル画像を得る工程であって、前記第１デジタル画像は複数の画素を有し、前記複数の画素の各画素は固有の強度値を有する、工程と、
（Ｆ）前記第１デジタル画像を第１二値画像に変換する工程であって、
（ｉ）前記複数の画素の全体平均強度値を決定する工程と、
（ii）閾値を超える固有の強度値を前記全体平均強度値と等しくなるように再設定する工程と、
（iii）前記複数の画素の各画素について局所平均強度値を決定する工程と、
（iv）前記局所平均強度値から前記複数の画素の各画素の固有の強度値を減算することによって、前記複数の画素の各画素について背景補正強度値を決定する工程と、
（v）各画素の固有の強度値を、決定されたその背景補正強度値で置き換える工程と、
（vi）前記第１デジタル画像に対して閾値処理を実行して第１二値画像を生成する工程であって、前記第１二値画像は複数の二値画素を有し、前記複数の二値画素は、ドラッグパーティクル又は非ドラッグパーティクルである複数のパーティクルを含む、工程と、
を含む工程と、
（Ｇ）前記第１二値画像から非ドラッグパーティクルをフィルタリングする工程であって、
（i）各二値画素に対してｘ軸クローズ処理を実行する工程と、
（ii）閾値幅よりも小さいパーティクル幅を有する全てのパーティクルを前記第１二値画像から除去する工程と、
（iii）比閾値よりも小さいパーティクル伸長比を有する全てのパーティクルを前記第１二値画像から除去する工程と、
（iv）前記第１二値画像に対してダイレーション処理を行う工程と、
（v）前記第１二値画像の各行におけるオンピクセルの数を決定する工程と、
（vi）前記第１二値画像の各行のパーティクル数を決定する工程と、
（vii）オンピクセル数閾値よりも少ないオンピクセル数を有する、又は、パーティクル数閾値より大きいパーティクル数を有する前記第１二値画像の行の画素について、オンピクセルをオフピクセルに切り替える工程と、
を含む、工程と、
（Ｈ）前記第１二値画像の残りの全てのパーティクルを、前記第２層を広げる工程（Ｄ）に関連したドラッグパーティクルとして特定する工程と、
（Ｉ）前記第２層を広げる工程（Ｄ）に関連したドラッグパーティクルをマッピングする工程であって、
（i）前記第１二値画像における各ドラッグパーティクルの位置を決定する工程と、
（ii）各ドラッグパーティクルのサイズを決定する工程であって、各ドラッグパーティクルを含む画素の総数が、個々の各ドラッグパーティクルのサイズを表している、工程と、
（iii）各ドラッグパーティクルの位置及びサイズを前記粉末床の個々の位置にマッピングする工程と、
を含む工程と、
（Ｊ）前記第２層を広げる工程（Ｄ）に関連する各ドラッグパーティクルの位置及びサイズに少なくとも部分的に基づいて、前記金属体の三次元体積品質モデルの第１層を生成する工程と、
を含む、方法。
【請求項２】
前記生成する工程は、
前記金属体の予め設計された三次元モデルから前記金属体の前記第１金属層の二次元コンターを生成する工程と、
各ドラッグパーティクルの位置及びサイズを前記第１金属層の二次元コンターに統合する工程と、
前記第１金属層の統合されたコンターに少なくとも部分的に基づいて、前記金属体の三次元体積品質モデルの第１層を生成する工程と、
を含む、請求項１に記載の方法。
【請求項３】
前記第１金属層の二次元コンターは、ＣＬＩ（Ｃｏｍｍｏｎ  Ｌａｙｅｒ  Ｉｎｔｅｒｆａｃｅ）ファイルから抽出され、前記金属体の予め設計された三次元モデルは、ＳＴＬファイルを含む、請求項２に記載の方法。
【請求項４】
前記金属粉末の第２層の少なくとも一部を選択的に溶融させて、前記金属粉末の溶融金属を含む溶融物プールを形成する工程と、
前記溶融金属を前記金属体の第２金属層へと凝固させる工程と、
前記第２金属層に金属粉末の第３層を広げる工程と、
前記金属粉末の第３層の少なくとも一部の第２デジタル画像を得る工程と、
前記第２デジタル画像を第２二値画像に変換する工程と、
前記第２二値画像から非ドラッグパーティクルをフィルタリングする工程と、
前記第２二値画像の残りの全てのパーティクルを前記金属粉末の第３層を広げる工程に関連する第２ドラッグパーティクルとして特定する工程と、
前記第２ドラッグパーティクルをマッピングして、前記金属粉末の第３層に関連する各第２ドラッグパーティクルの位置及びサイズを決定する工程と、
前記金属粉末の第３層を広げる工程に関連する各第２ドラッグパーティクルの位置及びサイズに少なくとも部分的に基づいて、前記金属体の三次元体積品質モデルの第２層を生成する工程と、
を含む、請求項１に記載の方法。
【請求項５】
前記閾値処理を実行する工程（Ｆ）（vi）は、前記第１デジタル画像に対して級間分散閾値処理を実行する工程を含む、請求項１に記載の方法。
【請求項６】
（Ａ）金属粉末のｎ番目の層を粉末床に広げる工程と、
（Ｂ）前記金属粉末の溶融金属を含む溶融物プールを形成するために、前記金属粉末のｎ番目の層の少なくとも一部を選択的に溶融させる工程と、
（Ｃ）前記溶融金属を金属体のｎ番目の金属層へと凝固させる工程と、
（Ｄ）ｎ番目の金属層に金属粉末のｎ＋１番目の層を広げる工程と、
（Ｅ）前記金属粉末のｎ＋１番目の層の少なくとも一部のｎ番目のデジタル画像を得る工程と、
（Ｆ）モーメント保存閾値処理を用いてｎ番目のデジタル画像をｎ番目の主二値画像に第１変換する工程であって、ｎ番目の主二値画像は、オンピクセルを含むｎ番目の複数の第１のパーティクルを有する、工程と、
（Ｇ）所定の閾値処理を用いてｎ番目のデジタル画像をｎ番目の代替二値画像に第２変換する工程であって、ｎ番目の代替二値画像は、オンピクセルを含むｎ番目の複数の第２のパーティクルを有する、工程と、
（Ｈ）ｎ番目の代替二値画像から非超過高さパーティクルをフィルタリングする工程であって、
（i）オンピクセル数閾値よりも少ないオンピクセル数を有する全てのパーティクルをｎ番目の代替二値画像から除去して、ｎ番目のフィルタリングされた二値画像を生成する工程、
を含む工程と、
（Ｉ）ｎ番目の主二値画像にｎ番目のフィルタリングされた二値画像を乗算して、ｎ番目の乗算二値画像を生成する工程であって、ｎ番目の乗算二値画像は、オンピクセルを含むｎ番目の複数の第３のパーティクルを有する、工程と、
（Ｊ）前記選択的に溶融させる工程（Ｂ）に関連する超過高さパーティクルとしてｎ番目の複数の第３のパーティクルを特定する工程と、
（Ｋ）超過高さパーティクルをマッピングする工程であって、
（i）ｎ番目の乗算二値画像における各超過高さパーティクルの位置を決定する工程と、
（ii）ｎ番目の乗算二値画像における各超過高さパーティクルのサイズを決定する工程であって、各超過高さパーティクルを含むｎ番目の乗算二値画像のオンピクセルの総数が個々の超過高さパーティクルのサイズを表す、工程と、
（iii）各超過高さパーティクルの位置及びサイズを前記金属体中の個々の位置にマッピングする工程と、
を含む工程と、
（Ｌ）前記選択的に溶融させる工程（Ｂ）に関連する各超過高さパーティクルの位置及びサイズに少なくとも部分的に基づいて、前記金属体の三次元体積品質モデルのｎ番目の層を生成する工程と、
を含む方法。
【請求項７】
前記生成する工程は、
前記金属体の予め設計された三次元モデルから前記金属体のｎ番目の金属層の二次元コンターを生成する工程と、
各超過高さパーティクルの位置及びサイズをｎ番目の金属層の二次元コンターに統合して、統合されたコンターを生成する工程と、
ｎ番目の金属層の統合されたコンターに少なくとも部分的に基づいて、前記金属体の三次元体積品質モデルのｎ番目の層を生成する工程と、
を含む、請求項６に記載の方法。
【請求項８】
前記第１変換する工程（Ｆ）は、ｎ番目のデジタル画像に対して所定の第１の閾値処理を実行する工程を含んでおり、
前記第２変換する工程（Ｇ）の所定の閾値処理は、第２の所定の閾値処理である、請求項６に記載の方法。
【請求項９】
前記第１変換する工程（Ｆ）のモーメント保存閾値処理は、第１のモーメント保存閾値処理であり、
前記第２変換する工程（Ｇ）は、ｎ番目のデジタル画像に対して第２のモーメント保存閾値処理を実行する工程を含む、請求項６に記載の方法。
【請求項１０】
前記金属粉末の溶融金属を含む溶融物プールを形成するために、前記金属粉末のｎ＋１番目の層の少なくとも一部を選択的に溶融する工程と、
前記溶融金属を前記金属体のｎ＋１番目の金属層へと凝固させる工程と、
前記ｎ＋１番目の金属層に前記金属粉末のｎ＋２番目の層を広げる工程と、
前記金属粉末のｎ＋２番目の層の少なくとも一部のｎ＋１番目のデジタル画像を得る工程と、
ｎ＋１番目のデジタル画像をｎ＋１番目の主二値画像に第１変換する工程と、
ｎ＋１番目のデジタル画像をｎ＋１番目の代替二値画像に第２変換する工程と、
ｎ＋１番目の代替二値画像をフィルタリングして、ｎ＋１番目のフィルタリングされた代替二値画像を生成する工程と、
ｎ＋１番目のフィルタリングされた代替二値画像をｎ＋１番目の主二値画像に乗算して、ｎ＋１番目の乗算二値画像を生成する工程と、
前記金属粉末のｎ＋１番目の層の少なくとも一部を選択的に溶融する工程に関連するｎ＋１番目の超過高さパーティクルとして、ｎ＋１番目の乗算二値画像の全てのパーティクルを特定する工程と、
ｎ＋１番目の超過高さパーティクルをマッピングして、各ｎ＋１番目の超過高さパーティクルの位置及びサイズを決定する工程と、
各ｎ＋１番目の超過高さパーティクルの位置及びサイズに少なくとも部分的に基づいて、前記金属体の三次元体積品質モデルのｎ＋１番目の層を生成する工程と、
を含む、請求項８に記載の方法。
【請求項１１】
（Ａ）カメラを用いて第１デジタル画像を取得する工程であって、前記第１デジタル画像は、付加製造体の層にわたって広がっている金属粉末の層を含む粉末床の少なくとも一部であり、前記第１デジタル画像は複数の画素を有し、前記複数の画素の各画素は固有の強度値を有する、工程と、
（Ｂ）プロセッサを用いて、前記第１デジタル画像を非ドラッグパーティクルを有する第１二値画像に変換する工程と、
（Ｃ）前記プロセッサを用いて、前記第１二値画像から非ドラッグパーティクルをフィルタリングする工程と、
（Ｄ）前記プロセッサを用いて、ドラッグパーティクルとして、前記第１二値画像中の残存する全てのパーティクルを特定する工程と、
（Ｅ）マップを作成する工程であって、前記プロセッサを用いてドラッグパーティクルをマッピングする工程を含んでおり、当該マッピングする工程は、前記金属粉末の層について各ドラッグパーティクルの一連の位置座標、サイズ、及びタイプをマッピングする工程を含んでいる、工程と、
（Ｆ）リスト形式で前記マップを記録する工程と、
（Ｇ）連続する層に対して（Ａ）乃至（Ｆ）を繰り返して、各層のリストを含む欠陥記録リストを作成して、前記付加製造体の３ＤＣＡＤモデルを生成する工程と、
（Ｈ）前記プロセッサを用いて、前記連続する層の各々について前記３ＤＣＡＤモデルを複数の２Ｄコンターに変換する工程と、
（Ｉ）前記プロセッサを用いて、単一の層について、前記欠陥記録リストから検出された欠陥の座標を抽出し、前記連続する層の各々について、前記検出された欠陥の座標を対応する２Ｄコンターに埋め込む工程と、
（Ｊ）前記連続する層の各々について（Ｇ）及び（Ｈ）を繰り返して、各層において検出された全ての欠陥を含む前記付加製造体の三次元体積品質モデルを得る工程と、
を含む方法。
【請求項１２】
（Ａ）付加製造体の層にわたって分布する金属粉末の層を含む粉末床の少なくとも一部の第１デジタル画像を得る工程であって、前記第１デジタル画像は複数の画素を有し、前記複数の画素の各画素は固有の強度値を有する、工程と、
（Ｂ）前記第１デジタル画像を非ドラッグパーティクルを有する第１二値画像に変換する工程と、
（Ｃ）前記第１二値画像から非ドラッグパーティクルをフィルタリングする工程と、
（Ｄ）ドラッグパーティクルとして前記第１二値画像の全ての残存パーティクルを特定する工程と、
（Ｅ）マップを作成する工程であって、特定されたドラッグパーティクルをマッピングする工程と、個々のドラッグパーティクルの位置及びサイズをマッピングする工程と含む工程と、
（Ｆ）各ドラッグパーティクルの位置及びサイズに少なくとも部分的に基づいて、前記付加製造体の三次元体積品質モデルの第１層を生成する工程と、
を含む方法。
【請求項１３】
前記変換する工程は更に、
（i）前記複数の画素の全体平均強度値を決定する工程と、
（ii）閾値を超える固有の強度値を、前記全体平均強度値と等しくなるように再設定する工程と、
（iii）前記複数の画素の各画素について局所平均強度値を決定する工程と、
（iv）前記局所平均強度値から前記複数の画素の各画素の固有の強度値を減算することによって、前記複数の画素の各画素の背景補正強度値を決定する工程と、
（v）各画素の固有の強度値を決定したその背景補正強度値で置き換える工程と、
（vi）前記デジタル画像に対して閾値処理を実行して前記第１二値画像を生成する工程であって、前記第１二値画像は複数の二値画素を有しており、前記複数の二値画素は、複数のパーティクルを含む、工程と、
を含む、請求項１２に記載の方法。
【請求項１４】
前記フィルタリングする工程は、
（i）前記複数の二値画素の各二値画素に対してｘ軸クローズ処理を実行する工程と、
（ii）閾値幅よりも小さいパーティクル幅を有する全てのパーティクルを前記第１二値画像から除去する工程と、
（iii）比閾値よりも小さいパーティクル伸長比を有する全てのパーティクルを前記第１二値画像から除去する工程と、
（iv）前記第１二値画像に対してダイレーション処理を行う工程と、
（v）前記第１二値画像の各行におけるオンピクセルの数を決定する工程と、
（vi）前記第１二値画像の各行のパーティクル数を決定する工程と、
（vii）オンピクセル数閾値よりも少ないオンピクセル数を有する、又は、パーティクル数閾値より大きいパーティクル数を有する前記第１二値画像の行の画素について、オンピクセルをオフピクセルに切り替える工程と、
を含む、請求項１２に記載の方法。
【請求項１５】
前記マップを作成する工程は、
（i）前記第１二値画像における各ドラッグパーティクルの位置を決定する工程と、
（ii）各ドラッグパーティクルのサイズを決定する工程であって、各ドラッグパーティクルを含む画素の総数が各ドラッグパーティクルのサイズを表す、工程と、
（iii）各ドラッグパーティクルの位置及びサイズを前記粉末床中の個々の位置にマッピングする工程と、
を含む、請求項１２に記載の方法。
【請求項１６】
（Ａ）カメラを利用して、付加製造体の層にわたって分布する金属粉末の層と、付加製造部分を示す凝固した溶融金属の一部とを含む粉末床の少なくとも一部の第１デジタル画像を得る工程であって、前記第１デジタル画像は複数の画素を有し、前記複数の画素の各画素は固有の強度値を有する、工程と、
（Ｂ）プロセッサを用いて、前記第１デジタル画像を第１主二値画像へとモーメント保持閾値処理によって第１変換する工程であって、前記第１主二値画像は、オンピクセルを含む第１の複数のパーティクルを有する、工程と、
（Ｃ）前記プロセッサを用いて、所定の閾値処理によって前記第１デジタル画像を第１代替二値画像に第２変換する工程であって、前記第１代替二値画像は、オンピクセルを含む第２の複数のパーティクルを有する、工程と、
（Ｄ）前記プロセッサを用いて、前記第１代替二値画像から少なくとも一部の非超過高さパーティクルをフィルタリングする工程であって、
（i）オンピクセル数閾値よりも少ないオンピクセル数を有する全てのパーティクルを前記第１代替二値画像から除去して、第１のフィルタリングされた二値画像を生成する工程、
を含む工程と、
（Ｅ）前記第１主二値画像に前記第１のフィルタリングされた二値画像を乗算することにより、第１乗算二値画像を生成する工程であって、前記第１乗算二値画像は、オンピクセルを含む第３の複数のパーティクルを有する、工程と、
（Ｆ）前記第３の複数のパーティクルを、工程（Ａ）における前記付加製造部分に関連する超過高さパーティクルとして特定する工程と、
（Ｇ）超過高さパーティクルをマッピングする工程であって、
（i）前記第１乗算二値画像の各超過高さパーティクルの位置を決定する工程と、
（ii）前記第１乗算二値画像の各超過高さパーティクルのサイズを決定する工程であって、各超過高さパーティクルを含む前記第１乗算二値画像のオンピクセルの総数がその個々の超過高さパーティクルのサイズを表している、工程と、
（iii）各超過高さパーティクルの位置及びサイズを前記付加製造体中の個々の位置にマッピングする工程と、
を含む工程と、
（Ｈ）前記マッピングする工程に少なくとも部分的に基づいて、前記付加製造体の三次元体積品質モデルの第１層を生成する工程と、
を含む工程と、
を含む、方法。